(57)【要約】  立体視装置（１６）は、ディスプレイ（２）と同期される。ディスプレイ（１６）が生成するかまたはそれと同期した信号（８）が送信される。信号（８）は、データパケットシーケンス（２０４）を含み、シーケンスの各データパケット（２０２ａ〜２０２ｅ）は、データ識別部分を含む。立体視装置（１６）は、データパケットシーケンス（２０４）からデータパケット（２０２ｂ）を受信する。データパケットシーケンス（２０４）におけるデータパケット（２０２ｂ）の位置は、前記の識別部分を使用して識別される。データパケット（２０２ｂ）に関連するタイミング情報は、前記の位置を使用して決定される。このタイミング情報は、立体視装置（１６）をディスプレイ（２）と同期させるため、および、後続のパケットを受信するために立体視装置（１６）の受信機（２２）をいつ起動するかを決定するために使用される。【選択図】図１
2016502353.tif 000002
【特許請求の範囲】
【請求項１】
立体視装置をディスプレイと同期させる方法であって、前記方法は、
ディスプレイが生成するかまたはディスプレイと同期した、各データパケットがデータ識別部分を含むデータパケットシーケンスからなる信号を送信することと、
前記立体視装置が前記データパケットシーケンスからデータパケットを受信することと、
前記識別部分を使用して、前記データパケットシーケンスにおける前記データパケットの位置を識別することと、
前記位置を使用して、前記データパケットに関連したタイミング情報を決定することと、
前記タイミング情報を使用して、前記立体視装置を前記ディスプレイと同期させるとともに、後続のパケットを受信するために前記立体視装置内の受信機をいつ起動するかを決定すること、を含む
ことを特徴とする方法。
【請求項２】
所定数のパケットを受信した場合に前記受信機を停止すること、をさらに含む
ことを特徴とする、請求項１に記載の方法。
【請求項３】
前記所定数のパケットは一つである
ことを特徴とする、請求項２に記載の方法。
【請求項４】
後続の受信周波数を前記データパケットから決定すること、をさらに含む
ことを特徴とする、請求項１乃至請求項３のいずれかに記載の方法。
【請求項５】
各データパケットがデータ識別部分を含む、データパケット継続シーケンスを続いて送信することと、
到着予定時刻に前記継続シーケンスを受信するために前記受信機を起動すること、をさらに含む
ことを特徴とする、請求項１乃至請求項４のいずれかに記載の方法。
【請求項６】
前記到着予定時刻から所定の時間間隔が経過した場合に前記受信機を停止すること、をさらに含む
ことを特徴とする、請求項５に記載の方法。
【請求項７】
後続の受信周波数を受信周波数リストから選択すること、をさらに含む
ことを特徴とする、請求項１乃至請求項６のいずれかに記載の方法。
【請求項８】
前記データパケットシーケンスの送信周波数を送信周波数リストから選択すること、をさらに含む
ことを特徴とする、請求項１乃至請求項７のいずれかに記載の方法。
【請求項９】
送信機は、送信を行なっていないときには電源が切られる
ことを特徴とする、請求項１乃至請求項８のいずれかに記載の方法。
【請求項１０】
前記シーケンスの少なくとも一つのデータパケットは、前記シーケンス内の継続データパケットの対応するデータ部分と同一であるデータ部分を含む
ことを特徴とする、請求項１乃至請求項９のいずれかに記載の方法。
【請求項１１】
前記信号は無線信号である
ことを特徴とする、請求項１乃至請求項１０のいずれかに記載の方法。
【請求項１２】
前記立体視装置は、一本のメガネを備える
ことを特徴とする、請求項１乃至請求項１１のいずれかに記載の方法。
【請求項１３】
データパケットシーケンスからなる信号からデータパケットを受信するように構成された受信機と、
前記データパケット内のデータ識別部分を使用して、前記データパケットシーケンスにおける前記データパケットの位置を識別し、
前記位置を使用して、前記データパケットに関連したタイミング情報を決定し、
前記タイミング情報を使用して、前記立体視装置をディスプレイと同期させるとともに、後続のパケットを受信するために前記立体視装置内の前記受信機をいつ起動するかを決定するように構成された処理装置と、を備える
ことを特徴とする立体視装置。
【請求項１４】
前記処理装置は、さらに、所定数のパケットを受信した場合に前記受信機を停止するように構成される
ことを特徴とする、請求項１３に記載の立体視装置。
【請求項１５】
前記所定数のパケットは一つである
ことを特徴とする、請求項１４に記載の立体視装置。
【請求項１６】
前記処理装置は、さらに、後続の受信周波数を前記データパケットから決定するように構成される
ことを特徴とする、請求項１３乃至請求項１５のいずれかに記載の立体視装置。
【請求項１７】
前記処理装置は、さらに、到着予定時刻にデータパケット継続シーケンスを受信するために前記受信機を起動するように構成される
ことを特徴とする、請求項１３乃至請求項１６のいずれかに記載の立体視装置。
【請求項１８】
前記処理装置は、さらに、前記到着予定時刻から所定の時間間隔が経過した場合に前記受信機を停止するように構成される
ことを特徴とする、請求項１７に記載の立体視装置。
【請求項１９】
前記処理装置は、さらに、後続の受信周波数を受信周波数リストから選択するように構成される
ことを特徴とする、請求項１３乃至請求項１８のいずれかに記載の立体視装置。
【請求項２０】
前記信号は無線信号である
ことを特徴とする、請求項１３乃至請求項１９のいずれかに記載の立体視装置。
【請求項２１】
前記立体視装置は、一本のメガネを備える
ことを特徴とする、請求項１３乃至請求項２０のいずれかに記載の立体視装置。
【請求項２２】
データパケットシーケンスを含む信号を送信するように構成された送信装置を備えるディスプレイ装置であって、前記シーケンスの各データパケットは、
前記シーケンスの他の各データパケットの識別部分とは異なるデータ識別部分と、
前記シーケンスの少なくとも一つの他のデータパケットにあるペイロード部分と同一であるデータペイロード部分と、を含む
ことを特徴とするディスプレイ装置。
【請求項２３】
前記送信装置は、各パケットが、
前記シーケンスの他の各データパケットの前記識別部分とは異なるデータ識別部分と、
前記シーケンスの少なくとも一つの他のデータパケットの前記ペイロード部分と同一であるデータペイロード部分とを含む、データパケット継続シーケンスを送信するように構成される
ことを特徴とする、請求項２２に記載のディスプレイ装置。
【請求項２４】
前記送信装置は、さらに、送信周波数を送信周波数リストから選択するように構成される
ことを特徴とする、請求項２２または請求項２３に記載のディスプレイ装置。
【請求項２５】
前記信号は無線信号である
ことを特徴とする、請求項２２乃至請求項２４のいずれかに記載のディスプレイ装置。
【請求項２６】
前記送信装置の送信機は、送信を行なっていないときには電源が切られる
ことを特徴とする、請求項２２乃至請求項２５のいずれかに記載のディスプレイ装置。
【請求項２７】
請求項２２乃至請求項２６のいずれかに記載のディスプレイ装置と、
請求項１３乃至請求項２１のいずれかに記載の立体視装置と、を備える
ことを特徴とするディスプレイシステム。
【発明の詳細な説明】
【技術分野】
【０００１】
本発明は、全体として立体表示システムに関し、特に立体視装置をディスプレイと同期させる、堅牢で省電力なシステムおよび方法に関する。
【背景技術】
【０００２】
左右それぞれの目に左右の視点の二次元画像を提供することによって、三次元画像を見る知覚を作りあげることは、当技術分野で知られている。また、左右の視点を移動させる動画像を提供することによって、三次元動画像に対しても同じことが実現できることも知られている。
【０００３】
左視点の画像は左目だけで視認され、右視点の画像は右目だけで視認されることを保証する様々な方法が、補色フィルタメガネ、直線または円偏光メガネ、シャッターメガネの使用などを含め、当技術分野で知られている。
【０００４】
補色フィルタメガネの制約、特にトゥルーカラー画像の提供能力に関する制約は、当技術分野で広く認識されている。偏光メガネも、偏光を提供するとともに光が偏光メガネに到達するまで偏光を維持するために高価なプロジェクタとスクリーンに依存せざるを得ない点を含め、欠点を有している。シャッターメガネは、上記のような問題を回避するには好ましい場合があるが、それでもなお、以下に説明するような他の問題を有している。
【０００５】
シャッターメガネを組み込んだディスプレイシステムは、左右の視点が交互に替わる画像を表示するディスプレイ画面と、観察者が着用するシャッターメガネとを備える。シャッターメガネは、左目用シャッターが、左視点画像が表示されている間は半透明になり右視点画像が表示されている間は不透明になるように、そして、右目シャッターが、右視点画像が表示されている間は半透明になり左視点画像が表示されている間は不透明になるように構成される。 
【０００６】
左右視点の画像は、観察者が滑らかな画像を確実に知覚できるように、ユーザに各々の目に提供される画像をちらつくのではなく連続していると知覚させる、十分に高い周波数で交互に替わる必要がある。他の周波数を使用することも可能であり、本明細書に開示された本発明は特定の周波数に限定されるものではないが、当技術分野で一般的に使用される周波数には、５０ヘルツ、６０ヘルツ、１００ヘルツ、１２０ヘルツが含まれる。このためには、メガネのシャッターが高い時間精度でディスプレイ上の交互に替わる画像に同期している必要があり、シャッターのタイミング上（数十ミリ秒程度の）小さな誤差であっても、表示された画像には、ちらつきやゴースト（左の画像が右目に見える、および／または、右の画像が左眼に見える）などの、望ましくない視覚的な画像乱れをもたらすことがある。
【０００７】
メガネやディスプレイ自体に備わったタイマは、最初は同期していても、一般的に、独立して動くままにしておけばそれらの同期は維持されない。したがって、同期を維持するためには、ディスプレイとメガネの間で頻繁に、または、連続的に通信し続ける必要がある。システムによっては、赤外線（ＩＲ）信号を使用してこれを達成している。例えば、方形波をディスプレイからメガネに送信し、高レベル信号は左視点画像に対応し（したがって、左シャッタが半透明の状態に変化する）、低レベル信号は右視点画像に対応する（そして右シャッタが半透明の状態に変化する）、としてもよい。しかし、ＩＲ通信には、周囲のＩＲ光源からのノイズ干渉や、ディスプレイからメガネに至る視線がディスプレイの近くで動く人や物などによって遮られる場合のＩＲ通信の中断といった欠点がある。
【０００８】
国際特許出願ＷＯ２０１０／１４１５１４は、ディスプレイと３Ｄメガネとの間の通信に無線周波数（ＲＦ）信号を利用する３Ｄ表示システムおよび関連するプロトコルを開示しており、ＲＦ放射の波長のほうが長いので、周囲のＩＲ光源からの干渉という問題を回避することで視線の問題を改善している。
【０００９】
シャッターメガネに関連してさらに問題となるのは、同期のための通信プロトコルが健全であることを保証することである。この問題に対処するために従来技術で使用されている一つの方法は、ディスプレイとメガネの間の通信を双方向にする、つまり、メガネがディスプレイから受信した信号に応答して、メガネからディスプレイに確認（「ＡＣＫ」）信号を送信することである。ＡＣＫ信号の到来（または予定のＡＣＫ信号の不在）によって、信号をメガネが受信したか否かの情報がディスプレイシステムに提供される。ディスプレイは、これによって、信号をメガネに送信するときに、パケットが抜け落ちるなどの問題を補正することができる。しかし、このことが、同時にディスプレイと使用することができるメガネの数を制限することになる。
【００１０】
シャッターメガネを用いた立体視システムの欠点として、さらに、シャッターと画像との同期を維持するためには頻繁な通信が必要で、多くのエネルギーを要することである。視聴者にとっては、メガネは、外部電源へのワイヤ接続が不要となるように内部電源（電池など）を備えていれば最も便利である。しかし、通信プロトコルの電力需要のために電池がすぐに枯渇することとなり、電池を頻繁に交換する必要が生じる。
【００１１】
ディスプレイと一本の３Ｄメガネの間で必要となる同期の複雑さであれば実際に対処することができるかもしれないが、テレビのようなディスプレイを複数のメガネで視聴したいときには、各メガネが同時にディスプレイと同期して動作することが必要となるので、新たな問題が発生する。しかし、メガネの数が多くなるほど、これを達成するために必要な帯域幅が大きくなるので、そのようなアプローチはすぐに非実用的になってしまう。
【発明の概要】
【００１２】
本発明は、第一の態様から見ると、立体視装置をディスプレイと同期させる方法を提供するものであって、前記方法は、
ディスプレイが生成するかまたはディスプレイと同期した、各データパケットがデータ識別部分を含むデータパケットシーケンスからなる信号を送信することと、
前記立体視装置が前記データパケットシーケンスからデータパケットを受信することと、
前記識別部分を使用して、前記データパケットシーケンスにおける前記データパケットの位置を識別することと、
前記位置を使用して、前記データパケットに関連したタイミング情報を決定することと、
前記タイミング情報を使用して、前記立体視装置を前記ディスプレイと同期させるとともに、後続のパケットを受信するために前記立体視装置内の受信機をいつ起動するかを決定することと、を含む。
【００１３】
本発明は、第一の態様に係る方法を実施するための視装置にまで及ぶ。したがって、第二の態様から見ると、本発明は立体視装置も提供し、前記立体視装置は、
データパケットシーケンスからなる信号からデータパケットを受信するように構成された受信機と、
前記データパケット内のデータ識別部分を使用して、前記データパケットシーケンスにおける前記データパケットの位置を識別し、
前記位置を使用して、前記データパケットに関連したタイミング情報を決定し、
前記タイミング情報を使用して、前記立体視装置をディスプレイと同期させるとともに、後続のパケットを受信するために前記立体視装置内の前記受信機をいつ起動するかを決定するように構成された処理装置と、を備える。
【００１４】
各データパケット内に識別部分を設けることで、たとえシーケンスの第一パケットではない場合であっても、一つだけの受信パケットから同期に必要なタイミング情報を決定することができる、すなわち、データパケットシーケンスの送信時間は、あるデータパケットの到着時刻と、識別部分から決定される、そのデータパケットの順序位置から決定することができる。このようにすることで、データパケットシーケンスに情報の冗長性が提供され、パケット抜けのような送信エラーが起きてもＡＣＫ信号を提供する必要がないような、より高い耐性を提供することになる。この利点は、本発明の方法および装置を使用すれば、タイマを同期させるために利用される、十分に堅牢な放送プロトコルを実現することができることである。このように、ＡＣＫ信号を用いるプロトコルでは利用できない放送プロトコルの利点をシステムとして活用することが可能となる。例えば、放送プロトコルを使用する利点として、ディスプレイシステムが、原理的には無限の数のメガネをサポートすることができることが挙げられる。
【００１５】
シーケンスのどのパケットを受信したかにかかわらず、受信したデータパケットから導き出せるタイミング情報の等価性によって冗長性が提供されるので、タイミング情報に冗長性を提供するために各データパケット内にペイロード部分を設ける必要はない。しかし、ペイロード部分を含むことが望ましいと言える。ペイロード部分が設けられている場合、シーケンスのどのデータパケットを受信したかにかかわらず、その情報が受信されるように、シーケンスの各データパケットのペイロード部分に同一の情報を提供することが望ましい。こうすれば、いくつかの実施形態では、シーケンスの少なくとも一つのデータパケットは、シーケンスの継続データパケットにある対応するデータ部分と同一であるデータ部分を含む。ペイロード部分は、データ識別部分および／または後続受信周波数に関連するデータ部分の次に位置すればよい。しかし、これらのデータ部分は、任意の適切な順序で提供することもできる。ペイロード部分は、非限定的な例として、オーディオデータを含んでいてもよい。
【００１６】
本発明は、このような方法を実施するディスプレイ装置にも及ぶ。したがって、第三の態様から見ると、本発明は、データパケットシーケンスを含む信号を送信するように構成された送信装置を備えるディスプレイ装置を提供するものであって、前記シーケンスの各データパケットは、
前記シーケンスの他の各データパケットの識別部分とは異なるデータ識別部分と、
前記シーケンスの少なくとも一つの他のデータパケットにあるペイロード部分と同一であるデータペイロード部分と、を含む。
【００１７】
いくつかの実施形態では、シーケンスのデータパケットにあるデータペイロード部分は、シーケンスの他の各データパケットにあるペイロード部分と同一である。
【００１８】
本発明の態様によれば、次のパケットを受信するためにいつ受信機を起動するのかを決定する目的でタイミング情報を使用することによって、必要がないとき、例えば、パケットを受信した後に次のパケットが予期されるまで、受信機を停止できることになる。いくつかの実施形態では、所定数のパケットを受信した場合に受信機は停止される。いくつかの実施形態では、所定数のパケットは一つである。本発明による受信機の停止は、メガネの電力消費を低減することになり、それによってメガネの電源の寿命を延ばすことは、当業者であれば理解するであろう。いくつかの実施形態では、送信機は、送信を行なっていないときには電源が切られる。こうすることによって、ディスプレイの消費電力を低減することになり、（ディスプレイが電池駆動である場合など）好都合である。
【００１９】
したがって、一組の実施形態において、前記方法は、各データパケットがデータ識別部分を含む、データパケット継続シーケンスを続いて送信することと、到着予定時刻に前記継続シーケンスを受信するために受信機を起動することと、を含む。したがって、いくつかの好ましい実施形態では、送信装置は、各パケットが、他の各データパケットの識別部分とは異なるデータ識別部分と、少なくとも一つの他のデータパケットのペイロード部分と同一であるデータペイロード部分とを含む、データパケット継続シーケンスを送信するように構成される。いくつかの好ましい実施形態において、立体視装置の処理装置は、さらに、データパケット継続シーケンスを到着予定時刻に受信するために受信機を起動するように構成される。
【００２０】
本発明の前記方法は、シーケンスのデータパケットのうちの一つだけ受信してそのデータパケットからタイミング情報を決定すればよいので、パケットが抜け落ちるというような送信エラーに対して耐性があると期待される。しかし、場合によってはシーケンス内のすべてのデータパケットが抜け落ちてしまう、すなわち、受信機がデータパケットを何も受信しないことがあることを、当業者は理解するであろう。この状況では、タイミング情報をデータパケットから決定することはできない。この場合には、視装置とディスプレイの同期は、以前のシーケンスのパケットから決定されたタイミング情報を使用して維持することができる。
【００２１】
上述のように、必要でないときに受信機を停止することは好都合なので、所定数のパケットを受信すると停止すればよい。しかし、全てのパケットが抜け落ちた場合、受信機は、継続シーケンスを到着予定時刻に受信するために起動されたものの、受信されるパケットの数に基づくと停止することができない。いくつかの実施形態では、到着予定時刻から所定の時間間隔が経過した場合、受信機は停止される。受信機を停止するためのこの基準は、所定数のパケットを受信した場合に受信機を停止することと併せて使用してもよいし、パケットを受信したか否かにかかわらず使用してもよい。
【００２２】
当技術分野では、単一の周波数で動作する送信プロトコルの場合、同じ周波数で動作する他の装置のような周囲の発生源からノイズを拾うおそれがあることが知られている。そのようなノイズの影響を改善する一般的なアプローチは、送信された信号の少なくともいくつかはノイズの影響を受けない、またはあまり影響されない周波数で放送されるように、送信周波数が複数の周波数間で急速に切り替えられる周波数ホッピングを採用することである。しかし、周波数ホッピングを実現するためには、受信機がいついかなる時でも正しい周波数で待ち受けていることを確実にするために、送信機と受信機の同期を必要とする。この同期を維持することは、特に、放送プロトコルでは、送信機と受信機が抜け落ちたパケットを補償することを可能にするＡＣＫ信号が存在しないので、困難である。
【００２３】
本発明のいくつかの実施形態によれば、後続の受信周波数は、データパケットから決定される。したがって、送信機と受信機が別々に整合周波数リストに固着することのみに依存しなくても、受信周波数を送信周波数に合わせることができることは、当業者であれば理解するであろう。シーケンスのすべてのデータパケットが抜け落ちた場合には、そのシーケンス内の受信したデータパケットから後続の受信周波数を決定することは不可能となる。この場合、受信機は、新たな受信周波数に変更することなく、後続のシーケンスを待ち受けしてもよい。受信機は、例えば、データパケットを受信するまで、新たな周波数に変更せずに待ち受けを続けてもよい。送信機は、事前に定義された、有限数の周波数間で周波数ホッピングを採用してもよく、その場合に、送信機は、短い時間の後に受信機が待ち受けている周波数に戻るので、受信機がデータパケットを受信しそのデータパケットから、継続する後続受信周波数を決定することを可能にし、周波数ホッピングで放送プロトコルを実施し続けることになる。あるいは、受信周波数を変更せずに待ち受けを継続する代わりに、受信機は、所定の受信周波数リストから後続の受信周波数を決定するか、周波数測定手順を実行してもよい。
【００２４】
追加としてまたは代わりに、送信機と受信機は、別々に整合周波数リストに固着して受信周波数を送信周波数と一致させてもよい。いくつかの実施形態では、データパケットシーケンスの送信周波数は、送信周波数リストから選択される。いくつかの実施形態では、後続の受信周波数は、受信周波数リストから選択される。シーケンスのすべてのデータパケットが抜け落ちた場合には、受信機は、受信周波数リストの次の周波数で処理を継続してもよい。その代わりに、受信機は、受信周波数を変更することなく待ち受けを続けてもよい。
【００２５】
受信機が周波数を変更することなく待ち受けを続ける場合、受信機は、連続して待ち受けを行なってもよいし、受信機を停止し後続のパケットの到着予定時刻に再起動してもよい。
【００２６】
信号を送受信するためには、任意の適切な周波数を使用することができる。いくつかの実施形態では、信号は無線信号である。
【００２７】
立体視装置は、任意の適切な装置を備えることができるが、一組の実施形態においては、立体視装置は、一本のメガネを備える。
【００２８】
なお、本発明の第二および第三のそれぞれの態様に従って説明した立体視装置およびディスプレイ装置は、本発明の方法を実施するために相互に関連して使用するのに適しており、複数の視装置を単一のディスプレイ装置と組み合わせて同時に使用することができる。このように、さらなる態様から見ると、本発明は、本発明の第三の態様に係るディスプレイ装置を備えるディスプレイシステムと、本発明の第二の態様に係る少なくとも一つの立体視装置を提供する。
【図面の簡単な説明】
【００２９】
本発明の特定の好ましい実施形態について、付随する図面を参照しながら、ほんの一例として説明することにする。
【図１】ディスプレイ画面と視聴者が着用するメガネを備える、本発明の実施形態に係るディスプレイシステムを示す図である。
【図２】五つのパケットからなるシーケンスが送信されそのうち第二パケットが受信された場合の、図１のディスプレイシステムによって実施される、第一送信サイクルに対する放送プロトコルの概略図を示している。
【図３】五つのパケットからなるシーケンスが送信されいずれのパケットも受信されない場合の、第二送信サイクルに対する放送プロトコルの概略図を示している。
【図４】五つのパケットからなるシーケンスが送信されそのうち第一パケットが受信された場合の、継続する送信サイクルに対する放送プロトコルの概略図を示している。
【図５】ディスプレイ画面と各々視聴者が着用する３本のメガネを備える、本発明に係るディスプレイ装置を示す図である。
【図６】五つのパケットからなるシーケンスが送信され、第一メガネは第三パケットを受信し、第二メガネはパケットを受信せず、第三メガネは第一パケットを受信した場合の、図１のディスプレイシステムによって実装される、第一送信サイクルに対する放送プロトコルの概略図を示している。
【図７】五つのパケットからなるシーケンスが送信され、第一メガネおよび第三メガネは第一パケットを受信し、第二メガネは第二パケットを受信した場合の、第二送信サイクルに対する放送プロトコルの概略図を示している。
【発明を実施するための形態】
【００３０】
図１は、テレビ番組からのシーンの左右の視点が交互に替わる映像を示す画面４を備えたテレビ２を示している。このテレビは、光線８と波面１０で表わされる無線周波数信号を放送する送信機６と、送信機６と通信する制御装置１２と、を備える。制御ユニット１２は、システムクロック（図示せず）を備える。視聴者１４は、視線をテレビ２の画面４に向けて座っている。視聴者１４は、左接眼部１８および右接眼部２０と、受信機２２と、受信機２２と通信状態にあるコントローラ２４とを備える立体視（３Ｄ）シャッターメガネ１６を着用している。コントローラ２４は、クロック（図示せず）も備えている。左右接眼部１８、２０は、各々、コントローラ２４からの信号によって、半透明状態または不透明状態に誘導することができる。
【００３１】
３Ｄメガネ１６を着用した視聴者１４は、左視点の映像が左接眼部１８のみを介して、右視点の映像が右接眼部２０のみを介して送信可能とされることで、画面４上に三次元映像を知覚することができる。これは、メガネコントローラ２４が、左接眼部１８には、左視点映像が画面４に表示されているときは半透明状態を、右視点映像が画面４に表示されているときは不透明状態を採用するように指示し、右接眼部２０には、右視点映像が画面４に表示されているときは半透明状態を、左視点映像が画面４に表示されているときは不透明状態を採用するように指示することによって達成される。このように、接眼部１８、２０の状態は、左右視点の映像の切り替えと同期して変更される。このためには、コントローラ２４が接眼部１８、２０に対して正しい時に状態を変更するよう指示することができるように、コントローラ２４のメガネクロックを左右視点の映像の切り替えと同期させることが必要である。これは、後述のように、放送プロトコルを使用して、制御ユニット１２のシステムクロックをコントローラ２４のクロックと同期させることによって達成される。
【００３２】
図２は、図１に示した実施形態で採用される、本発明に係る放送プロトコルの例示的なサイクルを示している。 送信機６は、時刻２０６に制御ユニット１２によって起動される。送信機６は、五つのデータパケット２０２ａ〜ｅからなる第一シーケンス２０４を各データパケット２０２ａ〜ｅ間の間隔２０８が５００マイクロ秒で２．４２３ギガヘルツの周波数で放送する。この周波数は、例えば、送信周波数２．４０３、２．４２３、２．４４０、２．４６１、２．４７５（ギガヘルツ）のリストから無作為にまたは擬似的無作為に制御ユニット１２が選択する。当業者は、第一シーケンスの放送周波数、間隔の長さ、および送信周波数リスト内の周波数のいずれかまたはすべてが上記の例の値と異なる値を取り得ることを理解するであろう。上記の例では、送信周波数リストは、五つの周波数値を含むが、送信周波数リストは、任意の数の周波数値を含んでいてもよい。各パケット２０２ａ〜ｅは、パケット番号（１バイト）および、上記の例では２．４０３ギガヘルツであるが、次の送信に使用される周波数の指標（１バイト）という２バイトの情報が先行するデータペイロード部分を含む。五つのデータパケット２０２ａ〜ｅが送信されると、送信機６は、電力を節約するために時刻２１０で停止される。
【００３３】
受信機２２は、シーケンス２０４の第一パケット２０２ａの到着予定時刻より少し前の時刻２１２に、コントローラ２４によって起動される。ここで、第一パケット２０２ａの到着予定時刻は、それ以前のシーケンスのパケットの到着時刻、および、事前定義されコントローラ２４と関係付けられてメモリ（図示せず）に格納されている放送間遅延時間かそれ以前のパケットに含まれるデータのいずれか、とから計算される。
【００３４】
受信機２２は、起動されると、それ以前に受信したパケットから決定された２．４２３ギガヘルツの周波数で待ち受けする。図２に示した実施例では、データパケット２０２ａ〜ｅからなる第一シーケンス２０４の第一パケット２０２ａが受信されない。受信機２２は起動したままである。シーケンス２０４の第二パケット２０２ｂは，到着時刻２１４に受信される。受信機２２は、その後少ししてから時刻２１６に停止される。
【００３５】
メガネやディスプレイの電源が入れられた直後である場合には、コントローラ２４がそれ以前のパケットの到着時間を決定することができるパケットは、何も受信されていないであろう。それ以前のパケットが何も受信されていない場合、受信機２２は、３Ｄメガネ１６の電源が入れられると起動され、送信機が使用する送信周波数リストにある周波数のうちの一つである所定の第一周波数でデータパケットを待ち受けする。
【００３６】
受信機は、データパケットが受信されるまで、または、メガネ１６の電源が入れられてから所定の時間が経過するまで待ち受けする（こうすれば、テレビの電源が入っておらずパケットが何も送信されていないときにうっかりメガネの電源が入れられた場合、電池が消耗するのを防ぐことができる）。受信機は、一つ以上の後続期間に再起動し、事前定義された第一周波数で再度パケットを待ち受けしてもよい。送信機が、事前定義された第一周波数で送信すると、受信機は、パケットを受信すると先に進んでそのパケットデータから次の受信周波数を決定することができる。受信機は、徐々に待ち受けする期間を長くしてもよい。こうすれば、メガネがディスプレイよりも前に電源を入れられた場合、電池が不必要に消耗してしまうのを防ぐことができる。
【００３７】
本実施形態の上述した構成に応じて放送が開始されると、送信機は常に５００マイクロ秒のパケット間遅延を挟んで各シーケンスに五つのパケットを放送する。パケット番号によって、コントローラ２４はパケットを区別することができる。したがって、コントローラ２４は、パケット２０２ａ〜ｅ間の間隔２０８、および、パケット送信の開始と、送信機６と受信機２２との間のパケット送信時間と、パケット２０２ｂを受信後の復号時間とから生じるその他の追加遅延とを計算することによって、第一パケット２０２ａの送信２１８から経過した時間を決定することができる。これらの追加遅延は、放送データ速度と処理装置１２、２４のクロック周波数に応じて常に固定長となる。
【００３８】
結果的に、送信２１８の開始後の経過時間は、次式で計算することができる。
送信後経過時間＝初期化遅延＋送信時間＋復号時間
＋（パケット番号−１）＊パケット間遅延
【００３９】
例示的な実施形態では、パケット送信初期化による遅延（初期化遅延）は５３マイクロ秒であり、パケット送信時間（送信時間）は２８１マイクロ秒であり、受信側でパケットを復号する時間（復号時間）は２１９マイクロ秒である。しかしながら、本発明の他の実施形態において、初期化遅延、送信時間、復号時間、およびパケット間遅延は、異なる値を有してもよいことを当業者は理解するであろう。第一パケット２０２ａは受信されず第二パケット２０２ｂは受信された、図２に示した実施例では、次式のようになる。
送信後経過時間＝５３マイクロ秒＋２８１マイクロ秒＋２１９マイクロ秒                      ＋（２−１）＊５００マイクロ秒＝１０５３マイクロ秒
【００４０】
次に、第一シーケンス２０４の第一データパケット２０２ａの送信２１８からの経過時間を使用して、３Ｄメガネ１６におけるクロックの較正２２０が実行される。
【００４１】
上述したように、クロックのドリフトと関係付けられる誤差が確実に許容範囲内に納まるように頻繁にこの較正を行なう必要がある。図３は、図２に示した期間の直後の放送プロトコルの動作を示す図である。
【００４２】
送信機６は、時刻３０６に制御ユニット１２によって再起動され、五つのデータパケット３０２ａ〜ｅからなる第二シーケンス３０４を、今度は２．４０３ギガヘルツの周波数で５００マイクロ秒のパケット間間隔３０８を空けながら放送する。図２に示す実施例のように、各データパケット３０２ａ〜ｅは、ペイロードデータに加えて、パケット番号（１バイト）および、例えば２．４４０ギガヘルツのような、次のデータパケットシーケンスの送信周波数の指標（１バイト）を含む。送信機は、データパケット３０２ａ〜ｅからなるこの第二シーケンス３０４を送信した後、しばらくして時刻３１０で停止される。
【００４３】
受信機２２は、第二シーケンス３０４の第一データパケット３０２ａの到着予定時刻の少し前の時刻３１２に、コントローラ２４によって再起動される。ここで、第一データパケット３０２ａの到着予定時刻は、（図２を参照しながら説明したように）第一シーケンス２０４から受信したパケット２０２ｂの到着時刻２１４から決定される。
【００４４】
受信機２２は、起動されると、データパケット２０２ａ〜ｅからなる第一シーケンス２０４から受信したパケット２０２ｂから決定される２．４０３ギガヘルツの周波数で待ち受けする。図３に示した実施例では、シーケンス３０４のデータパケット３０２ａ〜ｅのいずれも受信されない。第一パケット３０２ａの到着予定時刻から事前定義された時間が経過した後に、受信機２２は、電力を節約するために時刻３１４で停止される。
【００４５】
また、データパケット３０２ａ〜ｅのいずれも受信されないので、コントローラ２４は、第一データパケットの送信時刻３１８を決定することができない。その代わりに、このときメガネのクロックは再較正されることなく動作し続ける。
【００４６】
図３を参照しながら説明した放送からはいずれのパケットも受信されなかったので、コントローラ２４は、後続の受信周波数を決定することができない。その代わりに、メガネのクロックと送信機の送信間隔に基づいて、受信機は、第二の放送を待ち受けしたのと同じ周波数で（すなわち、予期したシーケンスから何のパケットも受信されなかったとき、次に初めて受信した周波数で）定期的に送信予定時刻になるとパケットを待ち受けするために電源が入れられる。この例では、この周波数は２．４０３ギガヘルツである。
【００４７】
送信機は、定期的に再起動され、そのたびに、周波数２．４４０ギガヘルツ、２．４６１ギガヘルツ、２．４７５ギガヘルツ、２．４２３ギガヘルツ（これらの放送サイクルは、図に示されていない）のいずれかを使用し次に２．４０３ギガヘルツに戻って、パケットシーケンスを放送する。受信機は、各放送の少し前に電源が入れられて受信パケットを待ち受けするが、常に２．４０３ギガヘルツで待ち受けする。 送信機が２．４０３ギガヘルツで放送すると、受信機はパケットを受信し、受信したパケットからタイミング情報と後続の受信周波数を決定し続けることができる。
【００４８】
もちろん、使用する周波数の順序が予め決まっている場合には、この手順は必要ない。
【００４９】
上述した２．４０３ギガヘルツでの放送を図４に示すとともに以下で説明する。送信機６は、五つのデータパケット４０２ａ〜ｅからなる継続シーケンス４０４を、各データパケット間の間隔４０８が５００マイクロ秒で２．４０３ギガヘルツの周波数で放送する。前の場合のように、各パケット４０２ａ〜ｅは、パケット番号（１バイト）および、例えば２．４４０ギガヘルツのような、次の送信に使用される周波数（１バイト）という２バイトの情報が先行するデータペイロード部分を含む。五つのデータパケット４０２ａ〜ｅが送信されると、送信機は、電力を節約するために時刻４１０で停止される。
【００５０】
受信機２２は、継続シーケンス４０４の第一データパケット４０２ａの到着予定時刻の少し前の時刻４１２に、コントローラ２４によって再起動される。受信機２２の電源が入れられて第二シーケンス３０４のパケット３０２ａ〜ｅを待ち受けしたときにも、第二シーケンス３０４に続くシーケンスからもいずれのパケットも受信されなかったので、これらのシーケンスのパケットの到着時刻から到着予定時刻を決定することはできない。その代わりに、到着予定時刻は、それ以前のシーケンスのパケット、今の場合であれば第一シーケンス２０４から受信したパケット２０２ｂ（すなわち、直近に受信したパケット）の到着時刻から決定される。
【００５１】
メガネのクロックは、放送プロトコルの第二サイクル後に較正されなかったので（何もパケットが受信されなかったため）、システムクロックに対してドリフトした可能性があり、そのため、継続シーケンスの第一パケットの到着予定時刻と継続シーケンスの第一パケットの実際の到着時刻との間には、メガネのクロックが再較正されていた場合にあったと思われるよりも大きな差がある可能性がある。ただし、受信機は、到着予定時刻の少し前に起動され、ここで、「少し」はメガネのクロックが放送プロトコルの多数のサイクルにわたって較正なしで動作した場合であっても、第一データパケットの到着予定時刻と実際の到着時刻の差を補償するのに十分な長さである。何もパケットが受信されないで許容できる放送のサイクル数（つまり、その間、システムクロックとメガネのクロックが、放送プロトコルが動作し、また、視聴者が重要な視覚的な画像乱れや外乱なしにディスプレイを見ることができるのに十分なレベルで同期し続けられる）は、二つのクロックの相対ドリフトを考慮して設定することができる。
【００５２】
図４に示した実施例では、データパケット４０２ａ〜ｅからなるシーケンス４０４の第一パケット４０２ａが受信される。次いで、受信機２２は、時刻４１６に停止される。
【００５３】
結果的に、送信４１８の開始後の経過時間は、次式で計算することができる。
送信後経過時間＝初期化遅延＋送信時間＋復号時間
＋（パケット番号−１）＊パケット間遅延
【００５４】
パケット送信初期化による遅延（初期化遅延）は５３マイクロ秒であり、パケット送信時間（送信時間）は２８１マイクロ秒であり、受信側でパケット４０２ａを復号する時間（復号時間）は２１９マイクロ秒である。前述のようにこれらの値は特定の実装に対して固定されるので、これらの数値は、図２を参照しながら説明した第一シーケンス２０４の場合と同じである。第一パケット４０２ａが受信された，図４に示した実施例では、次式のようになる。
送信後経過時間＝５３マイクロ秒＋２８１マイクロ秒＋２１９マイクロ秒                      ＋（１−１）＊５００マイクロ秒＝５５３マイクロ秒
【００５５】
次いで、継続シーケンス４０４の第一データパケット４０２ａの送信４１８後の経過時間を使用して、３Ｄメガネ１６のクロックの較正４２０が実行される。
【００５６】
図１〜図４を参照しながら上述した実施形態では、テレビ２と一本のメガネ１６とを備えるシステムに放送プロトコルが適用される。ただし、上述のように、放送プロトコルの利点は、一台のテレビからデータパケットを受信する複数の３Ｄメガネがこのプロトコルを同時に使用することができることである。
【００５７】
図５は、第一メガネ５１６−１を着用した第一視聴者５１４−１に加えて、第二および第三メガネ５１６−２、５１６−３を着用した二人の追加視聴者５１４−２、５１４−３が存在すること以外は、図１に示したものと同一の、本発明の実施形態を示している。また、前述した実施形態とは対照的に、複数のメガネのうちの一つにある受信機が、あるシーケンスのいずれのパケットも受信しない場合、待ち受け周波数を変更しないで継続パケットを待ち受けする代わりに、受信機は、以下でさらに説明するように、予め定義された周波数リストから決定された周波数で待ち受けする。後続の待ち受け周波数を決定するこの代替方法は、必ずしも複数のメガネを有するディスプレイシステムと関係付けられているわけではない。メガネの数にかかわらず、後続の受信周波数を決定する任意の適切な方法を使用してもよい。
【００５８】
第一、第二、第三メガネ５１６−１、５１６−２、５１６−３は、それぞれの左接眼部５１８−１、５１８−２、５１８−３および右接眼部５２０−１、５２０−２、５２０−３と、それぞれの第一、第二、第三受信機５２２−１、５２２−２、５２２−３と、それぞれの受信機５２２−１、５２２−２、５２２−３と通信するそれぞれの第一、第二、第三コントローラ５２４−１、５２４−２、５２４−３と、を備える。コントローラ ５２４−１、５２４−２、５２４−３は、それぞれのメガネ５１６−１、５１６−２、５１６−３に設けられたそれぞれの第一、第二、第三クロック（図示せず）とも通信している。各メガネ５１６−１、５１６−２、５１６−３は、図１を参照しながら説明したメガネ６と同じように機能する。
【００５９】
図１〜図４を参照しながら説明した場合と同様に、テレビ５０２は、画面５０４と、光線５０８と波面５１０によって表される無線周波数信号を放送する送信機５０６と、送信機５０６と通信する制御ユニット５１２と、を備える。制御ユニット５１２は、システムクロック（図示せず）とも通信している。したがって、三本のメガネ５１６−１、５１６−２、５１６−３すべてのそれぞれの受信機５２２−１、５２２−２、５２２−３が受信するパケットを放送する単一の送信機５０６が存在する。
【００６０】
放送プロトコルは、制御ユニット５１２が、図２〜図４を参照しながら前述したように制御ユニット１２によって実行されるステップを行ない、各コントローラ５２４−１、５２４−２、５２４−３が、前述のようにコントローラ２４によって実行されるステップを別々に行なうことによって実行される。このことは、三本のメガネ５１６−１、５１６−２、５１６−３による、放送プロトコルの二つの連続する例示的なサイクルを示した図６〜図７を参照しながらさらに以下で説明する。
【００６１】
第一の例示的な放送サイクルが、図６に示されている。送信機５０６は制御装置５１２によって起動される。送信機５０６は、五つのデータパケット６０２ａ〜ｅからなる第一シーケンスを各データパケット間の遅延が５００マイクロ秒で２．４０３ギガヘルツの周波数で放送する。この周波数は、送信周波数２．４０３、２．４２３、２．４４０、２．４６１、２．４７５（ギガヘルツ）の循環リストから、事前定義されたパターンにしたがって制御ユニット５１２が選択する。各パケットは、パケット番号（１バイト）および、当業者は周波数のサイクルが与えられれば厳密には冗長であることを理解するであろうが、図６に示した放送サイクルでは２．４２３ギガヘルツとしている、次の送信に使用される周波数（１バイト）という２バイトの情報が先行するデータペイロード部分を含む。
【００６２】
五つのデータパケット６０２ａ〜ｅを送信すると、送信機５０６は、電力を節約するために停止される。
【００６３】
第一、第二、第三の受信機５２２−１、５２２−２、５２２−３は、第一シーケンスの第一データパケット６０２ａの到着予定時刻の少し前に、それぞれのコントローラ５２４−１、５２４−２、５２４−３によって起動される。第一シーケンスの第一パケット６０２ａの到着予定時刻は、それぞれの受信機５２２−１、５２２−２、５２２−３に対してそれぞれのコントローラ５２４−１、５２４−２、５２４−３によってそれ以前のデータパケットシーケンスのパケットの到着時刻から決定される。
【００６４】
各受信機５２２−１、５２２−２、５２２−３は、起動されると周波数の循環リストから決定される２．４０３ギガヘルツの周波数で待ち受けする。
【００６５】
それ以前のパケットが何も受信されていない場合、例えば、メガネの電源が入れられてから今回初めて放送プロトコルを実施する場合、各受信機５２２−１、５２２−２、５２２−３は、起動後に、最初の受信周波数を決定し、上述した実施形態における受信装置２２と同様に、データパケットを待ち受けする。メガネは異なる時間に電源が入れられる可能性があるので、一本以上のメガネは電源が入れられてから最初のパケットを最初の受信周波数で待ち受けし、（前者よりも先に、つまり、それ以前のシーケンスが放送される前に電源が入れられていた）他の一本以上のメガネはそれ以前に受信したパケットから、受信周波数を決定することができる。
【００６６】
図６に示した実施例では、第一受信機５２２−１は第一シーケンスの第三パケット６０２ｃを受信し、第二受信機はパケットを受信せず、第三受信機５２２−３は第一シーケンスの第一パケット６０２ａを受信する。第一、第三受信機５２２−１、５２２−３は、それぞれのパケットを受信した後にそれぞれのコントローラ５２４−１、５２４−３によって停止される。第二コントローラ５２４−２は、第一シーケンスの第一パケット６０２ａの到着予定時刻から事前定義された時間が経過すると、第二受信機５２２−２を停止する。このように、三つの受信機５２２−１、５２２−２、５２２−３は、予定のパケットがなくなるとすべて停止状態になり、それによって電力を節約する。
【００６７】
第一、第三コントローラ５２４−１、５２４−３は、第一シーケンスの第一パケット６０２ａ後の経過時間を次式にしたがって計算する。
送信後経過時間＝初期化遅延＋送信時間＋復号時間
＋（パケット番号−１）＊パケット間遅延
【００６８】
自らの受信機５２２−１が第三パケット６０２ｃを受信する第一メガネ５１６−１について、送信後の経過時間は次のようになる。
送信後経過時間＝５３マイクロ秒＋２８１マイクロ秒＋２１９マイクロ秒                      ＋（３−１）＊５００マイクロ秒＝１５５３マイクロ秒
【００６９】
本実施形態では、初期化遅延、送信時間および復号時間の遅延の値は、以前に図１を参照しながら説明した実施形態におけるものと同じであるが、当業者であれば、これらの遅延は、特定の実装に応じて異なる値を有することを理解するであろう。
【００７０】
自らの受信機５２２−３が第一パケット６０２ａを受信する第三メガネ５１６−３については、送信後の経過時間は次のようになる。
送信後経過時間＝５３マイクロ秒＋２８１マイクロ秒＋２１９マイクロ秒                      ＋（１−１）＊５００マイクロ秒＝５５３マイクロ秒
【００７１】
送信後経過時間の計算値を用いて、第一および第三クロックは再較正される。
【００７２】
第二コントローラ５２４−２は、第二受信機５２２−２がパケットを何も受信しなかったので第一データパケット６０２ａの送信後経過時間を計算することができず、第二クロックは再較正なしで動作し続ける。
【００７３】
図７は、図６を参照しながら説明した放送サイクルの直後となる例示的な放送サイクルをさらに示している。
【００７４】
送信機５０６は、制御ユニット５１２によって再起動される。送信機５０６は、五つのデータパケット７０２ａ〜ｅからなる第二シーケンスを、各データパケット間の間隔が５００マイクロ秒で２．４２３ギガヘルツの周波数で放送する。前の場合のように、各パケットは、パケット番号（１バイト）および、図６に示した放送サイクルでは２．４４０ギガヘルツである、次の送信に使用される周波数（１バイト）という２バイトの情報が先行するデータペイロード部分を含む。五つのデータパケット７０２ａ〜ｅが送信されると、送信機５０６は、電力を節約するために時刻４１０で停止される。
【００７５】
第一、第二、第三受信機５２２−１、５２２−２、５２２−３は、第二シーケンスの第一データパケット７０２ａの到着予定時刻の少し前にそれぞれのコントローラ５２４−１、５２４−２、５２４−３によって再起動される。
【００７６】
第一コントローラ５２４−１は、第二シーケンスの第一データパケット７０２ａの到着予定時刻を、それ以前に第一シーケンスから受信したデータパケット６０２ｃの到着時刻から決定する。第一受信機５２２−１は、第一コントローラ５２４−１が第一シーケンスから受信したパケット６０２ｃから決定する２．４２３ギガヘルツの周波数で待ち受けする。
【００７７】
第二コントローラ５２４−２は、データパケットを何も受信しなかったので第一シーケンスのデータパケットの到着時刻から到着予定時刻を決定することができない。その代わりに、第二コントローラ５２４−２は、それ以前のシーケンスのパケットの到着時刻から第二シーケンスの第一パケット７０２ａの到着予定時刻を決定する。
【００７８】
第二コントローラ５２４−２は、パケットを何も受信しなかったので、第一シーケンスのパケットから受信周波数を決定することができない。その代わりに、周波数は、事前定義された受信周波数リストとそれ以前に受信したパケットから決定される、つまり、第一シーケンスに対して決定された受信周波数が２．４０３ギガヘルツだった場合は、２．４０３、２．４２３、２．４４０、２．４６１、２．４７５ギガヘルツの受信周波数リストに従って、次の受信周波数は２．４２３ギガヘルツとなる。第二受信機５２２−２は、それ故に２．４２３ギガヘルツの周波数で待ち受けする。
【００７９】
第三コントローラ５２４−３は、第一シーケンスから受信したパケット６０２ａの到着時刻から第二シーケンスの第一データパケット７０２ａの到着予定時刻を決定する。第三の受信機５２２−３は、第一シーケンスから受信したデータパケット６０２ａから決定される２．４２３ギガヘルツの周波数で待ち受けする。
【００８０】
各コントローラ５２４−１、５２４−２、５２４−３が算出する到着予定時刻は、それぞれのクロックによって測定される、それ以前のパケットが到着してからの経過時間から計算されるので、到着予想時刻（したがって、受信機５２２−１、５２２−２、５２２−３の電源が入れられる時間）は、必ずしも同時にはならない。
【００８１】
図７に示した例示的な放送サイクルにおいて、第一受信機５２２−１は第一シーケンスの第一パケット７０２ａを受信し、第二受信機５２２−２は第一シーケンスの第二パケット７０２ｂを受信し、第三受信機５２２−３は第一シーケンスの第一パケット７０２ａを受信する。各受信機５２２−１、５２２−２、５２２−３は、パケット７０２ａ、７０２ｂ、７０２ａをそれぞれ受信した後にそれぞれのコントローラ５２４−１、５２４−２、５２４−３によって停止される。こうして、三つの受信機５２２−１、５２２−２、５２２−３は、予定のパケットがもう存在しないとすべて停止状態になり、それによって電力を節約する。
【００８２】
各メガネのコントローラ５２４−１、５２４−２、５２４−３は、第一シーケンスの第一パケット７０２ａの送信後経過時間を次式にしたがって計算する。
送信後経過時間＝初期化遅延＋送信時間＋復号時間
＋（パケット番号−１）＊パケット間遅延
【００８３】
自らの受信機５２２−１が第一パケット７０２ａを受信する第一メガネ５１６−１については、送信後経過時間は、次のようになる。
送信後経過時間＝５３マイクロ秒＋２８１マイクロ秒＋２１９マイクロ秒                      ＋（１−１）＊５００マイクロ秒＝５５３マイクロ秒
【００８４】
自らの受信機５２２−２が第二パケット７０２ｂを受信する第二メガネ５１６−２については、送信後経過時間は、次のようになる。
送信後経過時間＝５３マイクロ秒＋２８１マイクロ秒＋２１９マイクロ秒                      ＋（２−１）＊５００マイクロ秒＝１０５３マイクロ秒。
【００８５】
自らの受信機５２２−３が第一パケット７０２ａを受信する第三メガネ５１６−３については、送信後経過時間は、次のようになる。
送信後経過時間＝５３マイクロ秒＋２８１マイクロ秒＋２１９マイクロ秒                      ＋（１−１）＊５００マイクロ秒＝５５３マイクロ秒
【００８６】
三本のメガネ５１６−１、５１６−２、５１６−３のそれぞれのクロックは、送信後経過時間の計算値を使用してすべて再較正される。
【００８７】
放送プロトコルは、その後に放送プロトコルの、継続する後続サイクルに進んでクロックの同期を維持し、それによってメガネ５１６−１、５１６−２、５１６−３のシャッターとテレビ画面５０４上で交互に替わる画像との同期を維持することができる。
【００８８】
このように、三人の視聴者５１４−１、５１４−２、５１４−３が３Ｄテレビ５０２を視聴している上記実施形態において、単一の送信機５０６とそれに関係付けられた制御ユニット５１２が放送プロトコルの送信側のステップを実施し、各メガネ５１６−１、５１６−２、５１６−３が同時に、しかも互いに別々に放送プロトコルの受信側のステップを実施することを当業者は理解するであろう。また、送信機５０６および制御ユニット５１２が実施するステップは、メガネ５１６−１、５１６−２、５１６−３が実施するステップとは別々に実施される。 こうすれば、無制限の数のメガネが同時に放送プロトコルを実施することができ、視聴者のための物理的な空間と画面までの視線、テレビとメガネを動作させるための電力要件、テレビとメガネを提供するコストなどの考慮点に制約されるのみである。
【００８９】
当業者であれば、上述の実施形態は単なる例示であり、本発明の範囲内で多くの変形や変更がなされ得ることを理解するであろう。例えば、本発明にテレビを使用することは必須ではなく、コンピュータ画面、映画スクリーン、情報画面等のような別のディスプレイを用いることもできる。
【００９０】
技術的に不可能な場合を除き、任意の特徴または一組の特徴を他の特徴または一組の特徴と共に使用することが具体的に想定される、すなわち、本明細書に開示した特定の組み合わせから、任意の特徴が他の特徴にとって不可欠であるといった推論結果を導き出すべきではない。
【図１】
2016502353.tif 000003
【図２】
2016502353.tif 000004
【図３】
2016502353.tif 000005
【図４】
2016502353.tif 000006
【図５】
2016502353.tif 000007
【図６】
2016502353.tif 000008
【図７】
2016502353.tif 000009
【国際調査報告】
2016502353.tif 000010
2016502353.tif 000011
2016502353.tif 000012